(57)【要約】【課題】  偏光分割多重、波長分割多重、時分割多重等により多重化されて表示された映像から、いずれかの映像を分離して視聴することができ、視聴したい情報を簡易かつ安価に選択することができる情報表示装置を提供する。【解決手段】  情報を複数のチャネルに振り分け、これに応じた映像を偏光分割多重、波長分割多重、時分割多重等により多重化して表示する。【選択図】  図１
2011221151.tif 000002
【特許請求の範囲】
【請求項１】
ネットワークで接続された情報提供手段から情報を取得する取得手段と、
該取得手段が取得した情報を複数のチャネルに振り分ける振り分け手段と、
振り分け手段によって振り分けられた各々のチャネル毎の情報に応じた映像を、生成する生成手段と、
生成された各チャネルの映像を，同一の表示部に偏光分割多重・波長分割多重・時分割多重のいずれかにより多重化して表示する表示手段と
を備えることを特徴とする情報表示装置。
【発明の詳細な説明】
【技術分野】
【０００１】
この発明は、複数チャネルに振り分けた情報に応じた各チャネルの映像を多重化して表示し、いずれかのチャネルの映像を選択して見ることができる情報表示装置に関する。
【背景技術】
【０００２】
１つのスクリーンに偏光方向が異なる右目用の画像と左眼用の映像を投影し、左右の眼に異なる偏光版を通してスクリーンに投影された映像を見せることにより、立体表示を可能にした立体映像表示システムが知られている（例えば特許文献１）。
【０００３】
また、予め位置情報に対応させた情報を準備しておき、カメラと、ＧＰＳ等の位置検出手段と、姿勢検出手段等を有する携帯電話端末において、カメラで撮影した映像中に、位置情報に対応させた情報に応じた画像を合成して表示するサービスが知られている（例えば非特許文献１）。
【先行技術文献】
【特許文献】
【０００４】
【特許文献１】特開２００１−３０５４７８号公報（第６−７図）
【非特許文献】
【０００５】
【非特許文献１】Tonchidot Corporation、”Sekai Camera v2.2.0 Released in App Store”、［online］、平成２２年３月１３日、Tonchidot Corporation、［平成２２年４月５日検索］インターネット＜ＵＲＬ：http://sekaicamera.com/＞
【発明の概要】
【発明が解決しようとする課題】
【０００６】
しかしながら、上述のサービスでは、表示すべき情報が多いと、表示が重なって視認性が低下したり、視聴者には必要ない情報が多数表示されるため、目的の情報を得るためには効率が悪かったりする問題があった。
【０００７】
本発明は、上述のような課題に鑑みてなされたものであり、例えば偏光分割多重、波長分割多重、時分割多重等により多重化されて表示された映像から、いずれかの映像を分離して視聴することができ、視聴したい情報を簡易かつ安価に選択することができる情報表示装置を提供することを目的とする。
【課題を解決するための手段】
【０００８】
この課題を解決するために、本発明に係る情報表示装置では、ネットワークで接続された情報提供手段から情報を取得する取得手段と、取得手段が取得した情報を複数のチャネルに振り分ける振り分け手段と、振り分け手段によって振り分けられた各々のチャネル毎の情報に応じた映像を、生成する生成手段と、生成された各チャネルの映像を，同一の表示部（スクリーンより広い）に偏光分割多重・波長分割多重・時分割多重のいずれかにより多重化して表示する表示手段とを備えることを特徴とする。
【発明の効果】
【０００９】
本発明では、取得手段が、ネットワークで接続された情報提供手段から情報を取得し、振り分け手段が、取得手段が取得した情報を複数のチャネルに振り分け、生成手段が、各振り分け手段によって振り分けられた各々のチャネル毎の情報に応じた映像を生成し、表示手段が、生成された各チャネルの映像を，同一の表示部に偏光分割多重・波長分割多重・時分割多重のいずれかにより多重化して表示することにより、多重化された表示された各チャネルの映像を分離するメガネを介して表示部を見ることにより、各チャネルの映像を選択して視聴することができる。
【図面の簡単な説明】
【００１０】
【図１】本発明の実施例１に係る情報表示システムの構成例を示すブロック図である。
【図２】表示部の構成例を概念的に示す斜視図である。
【図３】メガネのシャッタのタイミングを制御するための信号の例を示す図である。
【図４】メガネ内におけるシャッタの制御信号の例を示す図である。
【図５】情報処理部の各情報生成部の出力データの例を示す図である。
【図６】各チャネルの映像の例示す図である。
【図７】メガネを通した映像の例を示す図である。
【図８】メッセージのデータの例を示す図である。
【図９】履歴情報の例を示す図である。
【図１０】変形例に係る情報表示システムの構成例を示すブロック図である。
【図１１】検索コマンドの例を示す図である。
【図１２】関連度の例を示す図である。
【図１３】メッセージの表示例を示す図である。
【図１４】メッセージの表示例を示す図である。
【図１５】メッセージの表示例を示す図である。
【図１６】情報処理部の構成例を示すブロック図である。
【図１７】メッセージのデータの例を示す図である。
【図１８】振り分け処理の例を示す図である。
【図１９】メッセージの表示例を示す図である。
【図２０】メッセージの表示例を示す図である。
【図２１】メッセージの表示例を示す図である。
【図２２】変形例に係る情報表示システムの構成例を示すブロック図である。
【図２３】本発明の実施例２に係る情報表示システムの構成例を示すブロック図である。
【図２４】メガネの構成例を示す図である。
【図２５】表示例を示す図である。
【図２６】メガネを通した映像の例を示す図である。
【図２７】メガネの構成例を示す図である。
【図２８】構成例を示す図である。
【図２９】表示例を示す図である。
【図３０】構成例を示す図である。
【図３１】本発明の実施例３に係る情報表示システムの構成例を示すブロック図である。
【図３２】メガネの構成例を示す図である。
【図３３】表示例を示す図である。
【図３４】メガネを通した映像の例を示す図である。
【図３５】応用例を示す図である。
【図３６】構成例を示す図である。
【図３７】カメラ映像の例を示す図である。
【図３８】画像の例を示す図である。
【図３９】画像の例を示す図である。
【図４０】画像の例を示す図である。
【図４１】画像の例を示す図である。
【図４２】画像の例を示す図である。
【図４３】応用例に係る情報表示システムの構成例を示すブロック図である。
【図４４】構成例を示す斜視図である。
【図４５】構成例を示す斜視図である。
【図４６】概念図である。
【図４７】平面図である。
【図４８】処理を示すフローチャートである。
【図４９】カメラ映像の例を示す図である。
【図５０】タグ情報に応じた画像の例を示す図である。
【図５１】タグ情報を合成した映像の例を示す図である。
【図５２】タグ情報に応じた画像の例を示す図である。
【図５３】タグ情報を合成した映像の例を示す図である。
【図５４】多重化して表示した映像の例を示す図である。
【発明を実施するための形態】
【００１１】
本発明は、例えば多人数で視聴可能な屋外設置ディスプレイ、家庭用テレビジョン、ゲーム装置等の多重化した情報（に応じた画像）を表示する情報表示システム等に適用することができる。
【実施例１】
【００１２】
（時分割多重の例：全体構成）
図１は、本発明を適用した一実施形態に係る情報表示システムの構成を概念的に示すブロック図である。この情報提供システムは、例えばインターネット等のネットワーク１経由で接続された情報提供システム１０との通信を行う通信処理部２０と、情報提供システム１０から取得した情報等についての処理を行う情報処理部３０と、情報処理部３０による情報処理結果に応じた各々の情報に基づく画像を時分割多重により多重化して表示させる表示部４０と、表示部４０によって表示する画像を見る際にユーザが使用するメガネ５０とを備えている。
【００１３】
情報提供システム１０は、例えばネットワーク１経由で接続され投稿側ユーザから投稿されたメッセージ（情報）を受信側ユーザに配信するサービスを提供するシステムであり、投稿側ユーザからのメッセージ送信・コマンド等の要求を受信する受信部１１と、メッセージ・コマンドに対する応答等の配信を管理する配信管理部１２と、配信管理部１２からの制御に応じてメッセージの配信（受信側ユーザに対する送信）を行う送信部１３と、メッセージの配信履歴を保持するデータベース（ＤＢ）１４とを備えている。なお、以下、この情報提供システム１０が提供するサービスを、例えばｔｗｉｔｔｅｒ「登録商標」（http://twitter.com）やｆａｃｅｂｏｏｋ「商標」（http://www.facebook.com）のようなサービス、あるいはＳＮＳ（ソーシャル・ネットワーク・サービス）等におけるメッセージのようなサービス等の動作を参考に説明するが、メッセージの配信を行うシステムであれば、例えばＩＭＡＰ等の電子メールシステム等にも適用することができる。
【００１４】
通信処理部２０、情報処理部３０、表示部４０は、例えばパーソナルコンピュータ等の情報処理装置において、ＯＳ、アプリケーションソフトウェアを実行することによって実現されている。この場合、通信処理部２０は、例えばＯＳに実装されているＴＣＰ／ＩＰ等の通信を行う機能により実現することができる。
【００１５】
情報処理部３０は、例えばｎチャネル分の表示用の情報を生成するｎ個の情報生成部３１１〜３１ｎを備えている。
【００１６】
表示部４０は、各々の情報生成部３１１〜３１ｎに対応する複数（ｎ個：ｎチャネル分）の表示映像を生成する表示処理部４１１〜４１ｎと、各々の表示処理部４１１〜４１ｎによって生成された表示映像の合成を制御する制御部４２１〜４２ｎと、各制御部４２１〜４２ｎを介して供給される各表示処理部４１１〜４１ｎからの映像を投影するプロジェクタ４４１〜４４ｎと、各プロジェクタ４４１〜４４ｎの投影光の透過・遮断を行うシャッタ４５１〜４５ｎとを備えている。なお、制御部４２１〜４２ｎは、例えばゲームの画像を表示するような場合に、ゲームの状況等に応じて、各々のチャネルの映像をブレンディング（混合）する等の目的で用いることができる。
【００１７】
また、この表示部４０は、各プロジェクタ４４１〜４４ｎからの映像が投影される１つのスクリーン４３と、各シャッタ４５１〜４５ｎのタイミングの制御を行うタイミング制御部４６と、タイミング信号を送信するタイミング送信部４７とを備えており、各プロジェクタ４４１〜４４ｎからの映像を時分割多重化してスクリーン４３に投影するようになっている。
【００１８】
図２は、表示部４０のスクリーン４３と各プロジェクタ４４１〜４４２の配置を概念的に示す図である。なお、この図２では、２個のプロジェクタ４４１〜４４２のみ図示しているが、実際には、上述のように、同一のスクリーン４３に時分割多重により投影を行うｎ個のプロジェクタ４４１〜４４ｎを有している。
【００１９】
（動作概要：多重化映像の分離）
図３は、タイミング送信部４７による各シャッタ４５１〜４５ｎの透過・遮断制御を行うタイミング信号の例を示している。各シャッタ４５１〜４５ｎは、このタイミング信号［同図（Ａ）〜（Ｃ）］に応じて、各々対応するプロジェクタ４４１〜４４ｎからの投影光の透過・遮断を行う。また、同図（Ｄ）は、タイミング送信部４７が送信する送信信号の例を示している。この送信信号は、上述の各チャネル［同図（Ａ）〜（Ｃ）］のタイミング信号の信号を加算し、さらに、ｎ番目のタイミング信号と１番目のタイミング信号の期間は、常にハイレベルとなっており、メガネ５０側が１番目のチャネル（ＣＨ．１）のタイミングを検出することができるようになっている。
【００２０】
また、メガネ５０は、上述のタイミング送信部４７からの信号を受信するタイミング受信部５１と、ユーザからのチャネル選択指示を入力する選択部５２と、シャッタ５３と、これらの動作を制御する制御部５４とを備えている。制御部５４は、タイミング受信部５１が受信した受信信号からシャッタ５３の開閉タイミングを制御し、時分割多重化しスクリーン４３に投影された映像中の各チャネルの映像の選択を行うことができるようになっている。
【００２１】
また、制御部５４は、例えば図４（Ｂ）に示すように、上述のタイミング送信部４７が送信する送信信号と同じ程度の周期の内部クロックを生成するクロック生成部、タイミング受信部５１が受信した受信信号（同図（Ａ））と内部クロックを比較する比較部、比較結果に応じて１番目のチャネル（ＣＨ．１）のタイミングを検出する検出部等を備えている。この制御部５４は、ユーザからのチャネル選択指示に応じて、タイミング受信部５１の受信信号と１番目のチャネル（ＣＨ．１）のタイミングに応じて、シャッタ５３の制御信号（同図（Ｅ）〜（Ｇ）のいずれか）を生成し、各チャネルに対応する映像のみをシャッタ５３から透過させるようになっている。
【００２２】
（動作概要：多重化映像の生成）
例えば各チャネル（ＣＨ．１〜ＣＨ．ｎ）の各表示処理部４１１〜４１ｎに対応する情報生成部３１１〜３１ｎの出力が、図５に示すようなデータであった場合、各プロジェクタ４４１〜４４ｎの出力映像は、例えば図６（Ａ）〜（Ｃ）に示すようになり、時分割多重化されてスクリーン４３に投影される映像は、同図（Ｄ）に示すようになる。
【００２３】
このように時分割多重化されてスクリーン４３に投影された映像を、上述のメガネ５０を通して見た場合、各チャネルを選択した際に、例えば図７（Ａ）〜（Ｃ）のように、ユーザには各チャネルの映像のみ見えるようになる。
【００２４】
これにより、ユーザは、選択部５２を操作することにより、時分割多重化されてスクリーン４３に表示された映像から、所望のチャネルの映像を選択して見ることができるようになっている。
【００２５】
（動作詳細：各チャネルＣＨの映像（＝各ＣＨの情報・処理）の具体例）
各チャネルに表示する映像の振り分け（生成）処理は、種々考えられるが、例えば上述の情報提供システム１０におけるメッセージの送受信の履歴情報（ＤＢ１４）を参照し、当該ユーザとのメッセージの送受信の頻度に応じて、相手側のユーザを各チャネルに振り分け、各チャネルに対応する相手側のユーザのメッセージを各チャネルの映像として表示する場合の動作について、動作の具体例を説明する。
【００２６】
上述の情報提供システム１０において配信されるメッセージは、例えば図８に示すように、個々の属性の値がタグで囲まれたＸＭＬ形式のデータになっている。個々のメッセージは、同図中に示すように、＜ｍｅｓ＞タグで囲まれており、メッセージの属性の値には、＜ｕｉｄ＞タグで囲まれたユーザＩＤ、＜ｎａｍｅ＞タグで囲まれたユーザ名、＜ｔｏｉｄ＞タグで囲まれたメッセージの送信先のユーザのユーザＩＤ、＜ｍｉｄ＞タグで囲まれた個々のメッセージ毎に固有のメッセージＩＤ、＜ｔｉｍｅ＞タグで囲まれた送信時刻、＜ｌａｎｇ＞タグで囲まれた言語ＩＤ、＜ｃｏｎｔｅｎｔ＞タグで囲まれたメッセージ内容等が含まれる。情報提供システム１０は、上述のように、メッセージの配信履歴を保持するデータベース（ＤＢ）１４に保持している。この配信履歴は、例えば図９に示すように、送信元のユーザを示す”ｕｉｄ”と、送信先のユーザを示す”ｔｏｉｄ”と、送信時刻”ｔｉｍｅ”の組になっている。
【００２７】
このような配信履歴から上述のような動作を行うために、情報処理部３０は、例えば図１０に示すように、情報提供システム１０から当該ユーザに関する配信履歴を取得する履歴取得部３５と、取得した当該ユーザに関する配信履歴を保持するデータベース（ＤＢ）３６とを備えており、各情報生成部３１１〜３１ｎは、各々予め設定された頻度の範囲にある相手側のユーザを判定する判定部３７と、判定部が判定した相手側のユーザからのメッセージを情報提供システム１０から取得するメッセージ取得部３８と、取得したメッセージを対応する表示処理部４１１〜４１ｎに提供するメッセージ提供部３９とを備えている。
【００２８】
情報提供システム１０は、ネットワーク１を介して供給されたコマンドに応じて、ＤＢ１４に格納された送信履歴（の一部）を取得し、送信部１３を介して送信するようになっている。このコマンドは、要求する動作（例えば送信履歴の要求等）し示す文字列と要求するメッセージのクエリ（キー）とを含むものであり、配信管理部１２は、このようなコマンドからクエリを抽出し、抽出したクエリに対応するメッセージをＤＢ１４から抽出し、応答（レスポンスデータ）を生成し、送信部１３を介して送信する。
【００２９】
例えば、情報処理部３０の履歴取得部３５から、送信履歴の要求を示す文字列と当該情報表示システムを利用するユーザのユーザＩＤ”ｕｉｄ”とパスワードを含むコマンドが供給されると、配信管理部１２は、コマンド中のユーザＩＤ”ｕｉｄ”とパスワードにより、当該コマンドの送信元のユーザの正当性を検証した後、当該”ｕｉｄ”を上述の図９に示す送信履歴中の”ｕｉｄ”又は”ｔｏｉｄ”に含むものを抽出し、”ｕｉｄ”と”ｔｏｉｄ”と送信時刻”ｔｉｍｅ”を有するレスポンスデータとして送信部１３を介して送信する。情報処理部３０の履歴取得部３５は、このようなレスポンスデータを取得すると、上述の図９に示すように、ＤＢ１４に格納する。
【００３０】
例えば当該情報表示システムのユーザからメッセージの表示が指示されると、各情報生成部３１１〜３１ｎの判定部３７は、ＤＢ１４を参照し、情報提供システム１０を介してメッセージの送受信を行う他のユーザとの関連度（θ）を求め、各情報生成部３１１〜３１ｎが対象とするメッセージのみを選択し、各々対応する表示処理部４１１〜４１ｎに供給する。関連度（θ）は、判定部３７からＤＢ１４に対し、例えば図１１に示すように、当該情報表示システムのユーザのユーザＩＤ（ｕｉｄ）を送信先”ｔｏｉｄ”に持つレコードの頻度を出力させるＳＱＬ文を送信し、これに対するＤＢ１４の応答（例えば図１２）に応じて行う。例えば情報生成部３１１は、関連度θが０．４以上のユーザＩＤ”ｕｉｄ”を持つメッセージを対象とし、情報生成部３１２は、関連度θが０．２以上０．４未満のユーザＩＤ”ｕｉｄ”を持つメッセージを対象とし、情報生成部３１ｎは、関連度θが０．２未満のユーザＩＤ”ｕｉｄ”を持つメッセージを対象とする。
【００３１】
対象となるメッセージを決定すると、各々の情報生成部３１１〜３１ｎのメッセージ取得部３８は、メッセージの要求を示す文字列と対象となるメッセージのユーザＩＤ”ｕｉｄ”をクエリとするコマンドを情報提供システム１０に送信し、これに対する応答（メッセージ）を取得し、メッセージ提供部３９を介して対応する表示処理部４１１〜４１ｎに供給する。各表示処理部４１１〜４１ｎは、供給されたメッセージ中のユーザ名と送信時刻とメッセージ内容を含む映像を生成する。これにより、具体的には、関連度θが上述の図１２に示すような状態である場合には、表示処理部４１１は、例えば図１３に示すような映像を生成し、表示処理部４１２は、例えば図１４に示すような映像を生成する。従って、これらの映像に基づいて、時分割多重によりスクリーン４３に表示される映像は、メガネ５０なしで見ると、例えば図１５に示すようになる。
【００３２】
ユーザはメガネ５０を使用してスクリーン４３を見ながら、選択部５２を操作して、希望のチャネルを選択することにより、図１３に示すＣＨ．１の映像と図１４に示すＣＨ．２の映像のいずれかのみを選択的に視聴することができる。
【００３３】
（効果）
これにより、１つのスクリーン４３に複数のチャネルの情報（に応じた映像）を（時分割）多重化して表示することができ、ユーザはメガネ５０を介してスクリーン４３を見ながら、所望のチャネルを選択して、当該チャネルの情報（に応じた映像）のみを視聴することができる。従って、この情報表示システムでは、多重化されて表示された映像から、いずれかの映像を分離して視聴することができ、視聴したい情報を簡易に選択することができる。
【００３４】
（動作詳細：メッセージの言語毎の振り分け）
以上、メッセージの送受信を行う他のユーザとの関連度θに応じてメッセージを各チャネルに振り分けて表示する例について説明したが、各チャネルに対するメッセージの振り分けは、他にも種々考えられる。以下、例えば情報提供システム１０から当該情報表示システムを利用するユーザ宛のメッセージを取得し、言語ＩＤに基づいて、日本語とそれ以外の言語に振り分ける例について説明する。なお、上述のメッセージ中の＜ｌａｎｇ＞タグで囲まれた言語ＩＤの値には、日本語であることを示す”ｊａ”、英語であることを示す”ｅｎ”、簡体字中国語であることを示す”ｇｂ”等の種類がある。
【００３５】
図１６は、このような動作を可能にするための情報処理部３０の構成例を示しており、情報処理部３０は、情報提供システム１０からメッセージを取得するメッセージ取得部３５’を備えており、情報生成部３１１は、メッセージ取得部３５’が取得したメッセージが日本語か否かを判定し、日本語のメッセージを情報生成部３１１のメッセージ提供部３９に、日本語以外のメッセージを情報生成部３１２のメッセージ提供部３９に提供する判定部３７’を備えている。
【００３６】
上述の図８に示すように、情報提供システム１０が送受信するメッセージには、言語ＩＤが含まれている。また、情報提供システム１０は、当該情報表示システムを利用するユーザのユーザＩＤ”ｕｉｄ”を”ｔｏｉｄ”に持つメッセージを要求するコマンドにも対応している。メッセージ取得部３５’が、このようなコマンドを供給すると、情報提供システム１０の配信管理部１２は、コマンド中で指示されたユーザＩＤ”ｕｉｄ”を”ｔｏｉｄ”に持つメッセージを抽出し、例えば図１７に示すように、抽出したメッセージのデータを含むＸＭＬ形式のデータとしてメッセージ取得部３５’に供給する。
【００３７】
このようなデータを受信すると、メッセージ取得部３５’は、受信したデータを判定部３７’に供給する。判定部３７’は、例えば図１８に示す処理により、供給されたデータからメッセージを１件づつ抽出し（Ｓ３１）、抽出したメッセージ中の言語ＩＤ”ｌａｎｇ”の値が日本語であることを示す”ｊａ”であるか否かを判定し（Ｓ３２）、”ｊａ”であれば当該メッセージを情報生成部３１１のメッセージ提供部３９を介して表示処理部４１１に供給し（Ｓ３３）、それ以外の値であれば当該メッセージを情報生成部３１２のメッセージ提供部３９を介して表示処理部４１２に供給する（Ｓ３４）。この後、全てのメッセージに対する処理が終了したか否を判定し（Ｓ３５）、終了していなければ次のメッセージを抽出する（Ｓ３１）。
【００３８】
このような処理により、例えば上述の図１７に示すデータに基づいて、表示処理部４１１に供給されたメッセージから、例えば図１９に示す映像（ＣＨ．１）が生成され、表示処理部４１２に供給されたメッセージから、例えば図２０に示す映像（ＣＨ．２）が生成され、これらが時分割多重化されて、スクリーン４３には、図２１に示すような映像が表示される。
【００３９】
このような映像を、ユーザはメガネ５０を通して見ながら、選択部５２を操作して、希望のチャネルを選択することにより、図１９に示すＣＨ．１の映像と図２０に示すＣＨ．２の映像のいずれかのみを選択的に視聴することができる。これにより、日本語とそれ以外の言語の映像を容易に選択することができる。
【００４０】
同様に、映画の字幕等を各チャネルの映像に振り分けて時分割多重化して表示することにより、ユーザがメガネ５０を通して見ながら、選択部５２を操作して、希望のチャネルを選択することにより、容易に言語の選択を行うことができる。
【００４１】
（応用例）
また、以下のような用途に、この情報表示システムを使用することにより、スクリーン４３に時分割多重化して表示した情報（映像）から視聴を希望する情報の選択を容易に行うことができる。
（多数の住所のデータの分類表示）
例えば神奈川県内の多数の住所がある場合、人口分布に従って住所が分布しているとすると、県庁所在地である横浜市内の住所が最も多いことが予想される。このような場合、郵便番号ＤＢ等を参照して、住所のデータを、横浜市内とそれ以外の住所に分類し、各々を異なるチャネルに振り分けてスクリーン４３に時分割表示すると、ユーザがメガネ５０を通して見ながら、選択部５２を操作して、横浜市内とそれ以外の住所の視聴を容易に切り替えることができる。
【００４２】
（ふりがな表示の切り替え）
例えば映画の字幕データがあった場合、小学校の学年毎の学習漢字と比較してふりがなの要否を判断し、学年毎のふりがな情報を生成し、各チャネルに振り分けてスクリーン４３に時分割表示する。具体的には、学年毎に対応したふりがなデータは、情報処理部３０が、例えば「ルビ振り」サービス（http://developer.yahoo.co.jp/webapi/jlp/furigana/v1/furigana.html）等の情報提供システム１０に対して、字幕の文字データと学年を示す情報を送信することによって得ることができる。情報処理部３０は、学年を示す情報を順次変更して、学年毎のふりがなデータを取得し、各チャネルの表示処理部４１１〜４１ｎに供給し、各プロジェクタ４４１〜４４ｎにより生成された学年毎のふりがなの映像をスクリーン４３に時分割多重化して表示させる。ユーザは、メガネ５０を通して自分の学年にあったチャネルを選択することにより、自分の学年にあったふりがなを有する字幕を視聴することができる。これにより、共通のスクリーン４３を用いて、学年の違う学生に対して、学年にあったふりがなを有する字幕を提示することができる。
【００４３】
（検索結果の上位、下位の振り分け）
例えば、上述の情報提供システム１０がｔｗｉｔｔｅｒ「登録商標」（http://twitter.com）サービスであると想定して、当該情報提供システム１０に対するメッセージ（つぶやき）の検索機能を用いて、あるキーワードを含むメッセージの検索結果を取得し、取得したメッセージを当該メッセージ中のキーワードの頻度順にソートし、所定件数毎にチャネルに振り分け、各チャネル毎に振り分けられたメッセージに応じた映像を生成し、時分割多重化により各チャネルの映像を多重化してスクリーン４３に投影する。このように投影された映像をメガネ５０によってチャネル毎に選択して視聴することにより、あるキーワードを含むメッセージについて、メッセージの出現頻度毎に振り分けられたメッセージ群を選択して視聴することができる。
【００４４】
（キーワードによる検索結果 ）
例えば複数のキーワードを設定し、いずれかのキーワードに該当するメッセージを取得する場合には、各々のキーワードを含むメッセージを各チャネルに振り分けて表示するようにしてもよい。
【００４５】
（時刻による振り分け）
情報提供システム１０から取得したメッセージを、発信時刻が一定の範囲にあるメッセージにグループ化し、各チャネルに振り分けて表示するようにしてもよい。
【００４６】
また、一定の閾値より長いメッセージについては、最初の数文字と、全文とを各チャネルに振り分けて表示してもよい。
【００４７】
以上のように、多数のデータを複数のチャネルに振り分け、各チャネルの映像を時分割多重化してスクリーン４３に表示し、多数のユーザが、メガネ５０を通してスクリーン４３を見ながら、自分の求めるチャネルを選択することにより、スクリーン４３を共有することができると共に、各ユーザが求める映像の視聴を選択することができる。
【００４８】
（実施例１の変形例）
上述の実施例１では、複数のプロジェクタ４４を用いて、時分割多重化により、スクリーン４３に映像を表示する例について説明したが、フレームレートが高い（例えば２００Ｈｚ程度であれば４チャネルの時分割多重化を行っても各チャネルのフレームレートは５０Ｈｚとなる。この場合、若干のちらつきを許容すれば、フレームを４０Ｈｚとし、５チャネル分の表示も可能である。）モニタ４３’を使用すれば、時分割多重化によって１つのモニタ４３’に複数のチャネルの映像を投影することも可能である。図２２は、このような動作を実現するための情報表示システムの構成を示しており、上述の図１中のプロジェクタ４４の代わりに、各チャネル毎のフレームバッファ４９１〜４９ｎと、各フレームバッファ４９１〜４９ｎの映像を時分割多重化してモニタ４３’に供給する時分割多重化部４８とを備えている。
【００４９】
このような構成のモニタ４３’を視聴する際には、上述の実施例１と同様の構成のメガネ５０を用いることにより、所望のチャネルの映像のみを視聴することができ、各チャネルの情報を容易に選択することができる。
【００５０】
また、上述のように選択部５２からの入力に応じてシャッタ５３の開閉タイミングを制御する代わりに、メガネ５０に傾きセンサを設け、メガネ５０の傾きに応じてシャッタ５３の開閉タイミングを制御するようにしてもよい。これにより、ユーザが視聴したいチャネルを選択する際に、首を上下に傾けるだけで視聴するチャネルを選択することができるようになり、遠近両用メガネのような操作感を得ることができる。
【実施例２】
【００５１】
（偏光分割多重の例）
上述の実施例１では、時分割多重の例について説明したが、偏光方向によって各チャネルの映像を多重化（偏光分割多重化）してスクリーン４３に表示するようにしてもよい。図２３は、このように偏光分割多重化を行う場合の情報表示システムの構成例を示しており、実施例１におけるシャッタ４５、タイミング制御部４６、タイミング送信部４７等の代わりに、各プロジェクタ４４１〜４４４の前に取り付けられた偏光フィルタ５４１〜５４４を備えている。
【００５２】
このような構成の情報表示装置によって多重化されて表示された映像から各々のチャネルの映像を選択して視聴するためは、例えば図２４（Ａ）〜（Ｄ）に示すように、各チャネルのプロジェクタ４４１〜４４４の前に取り付けられた偏光フィルタ５４１〜５４４と同じ偏光方向の偏光フィルタ５４１〜５４４を持つ４種類のメガネ（偏光メガネ）５０のいずれかを用いる。
【００５３】
このような情報表示システムでは、各々のチャネルの表示処理部４１１〜４１４が生成する映像は、例えば図２５（Ａ）〜（Ｄ）に示すようになり、これらを多重化してスクリーン４３に表示される映像は、同図（Ｅ）に示すようになる。
【００５４】
ユーザがこのように表示されたスクリーン４３を、偏光フィルタ５４１〜５４４を持つ４種類のメガネ（偏光メガネ）５０のいずれかを通して見た映像は、例えば図２６（Ａ）〜（Ｄ）に示すようになり、各々のチャネルの映像を選択して視聴することができる。このように、この実施例２では、上述の実施例１と同様に、各チャネルに振り分けた映像を選択的に視聴することができる。さらに、この実施例では、偏光フィルタの偏光方向で各チャネルの映像を選択することができるため、コスト的には、タイミング受信部５１〜シャッタ５３を備える実施例１のメガネ５０に比較して有利である。これにより、特に多数のユーザがスクリーン４３に投影されている映像を見て、各自が視聴したい情報を選択するような場合に適している。
【００５５】
（変形例１）
上述の図２４に示す各メガネ５０を用いる代わりに、例えば図２７に示すように、２種類の偏光フィルタ５４Ａ（５４１）〜５４Ｂ（５４２）を上下に配置したメガネ５０をもちいても良い。このようなメガネ５０でスクリーン４３’を見ることにより、メガネ５０をかけた首を上下に動かすことにより、２種類の偏光フィルタ５４１と５４２を切り替えて使用することができ、視聴する映像（チャネル）を選択することができる。これにより、上述の実施例１の変形例と同様に、首を上下に傾けるだけで視聴するチャネルを選択することができるようになり、遠近両用メガネのような操作感を得ることができる。
【００５６】
また、この実施例２では、上述の実施例１と同様に、各チャネルの制御部４２１〜４２ｎにより、各々のチャネルの映像をブレンディング（混合）する等の目的で用いることができるようになっている。例えば図２８に示すように、チャネル１（ＣＨ．１）とチャネル２（ＣＨ．２）の２つのチャネルを用い、各チャネルの出力ゲインを０％、５０％、１００％とした場合、スクリーン４３に投影される多重化された映像は、例えば図２９に示すようになる。このような複数のチャネルのブレンディングの制御は、例えば図３０に示すように、ゲームの処理結果等に応じて切り替えることができる。一例として、例えば回答時間の制約があるクイズの出題等において、メガネなしでは回答が常に見えるように表示しておき、回答者（が視聴しているチャネル）の出力ゲインを回答時間が迫るに従って１００％に近づけることにより、最初は回答が見えないが、時間切れが近づくに連れて回答が見えるようになる、といった使用方法も可能である。
【実施例３】
【００５７】
（波長分割多重の例）
上述の実施例２では、各チャネルの映像を偏光分割多重化する例について説明したが、各チャネルの映像を波長分割多重化するようにしてもよい。具体的には、例えば図３１に示すように、上述の実施例２におけるプロジェクタ４４の前の偏光フィルタ５４１〜５４４の代わりに、色フィルタ５５１〜５５４を設けている。
【００５８】
このような構成の情報表示システムにより多重化して表示された映像を見る際には、例えば図３２（Ａ）〜（Ｄ）に示すように、各チャネルのプロジェクタ４４１〜４４４の前に取り付けられた色フィルタ５５１〜５５４と同じ色フィルタ５５１〜５５４を持つ４種類のメガネ（色メガネ）５０のいずれかを用いる。
【００５９】
例えば図３３に示すように、各チャネルの映像（同図（Ａ）〜（Ｄ））を多重化されて表示された映像（同図（Ｅ））を見る際に、色フィルタ５５１〜５５４を有するメガネ５０により、スクリーン４３を見ると、例えば図３４（Ａ）〜（Ｄ）に示すように、同じ色フィルタ５５１〜５５４を介して投影された特定のチャネルの映像のみが消える、という動作になる。
【００６０】
これにより、この実施例３の情報表示システムでは、特定のチャネルの映像を選択的に消去、すなわち特定のチャネル以外の映像を選択して視聴することができる。
【００６１】
（変形例）
上述の例では、各プロジェクタ４４１〜４４４の前に波長依存性のある色フィルタ５５１〜５５４を設けたが、例えば１つのプロジェクタ４４を用い、各チャネルの表示色を制御して１つのスクリーン４３’に投影するようにしても、上述と同様の作用効果を奏することができる。
【実施例４】
【００６２】
（アプリケーション［応用］：ゲームの例）
上述の各情報表示システムは、例えば図３５に示すように、「リバーシ」等のゲームに対するヒントの表示等に用いることができる。なお、以下、上述の図２２に示す構成の情報表示システム（実施例１の変形例時分割多重）を前提に説明するが、上述の他の構成の情報表示システムを用いてもよい。
【００６３】
この応用例では、この図３５に示すように、ユーザ（プレイヤーＡ、プレイヤーＢ）は、物理的なゲームボード７０の上に、物理的なコマをおいてゲームを行うようになっている。ゲームボード７０の映像は、カメラ３００によって撮像され、情報処理部３０において、ゲームの状態が判定され、判定結果に応じて、プレイヤーＡに対するヒントをチャネル１の映像とし、プレイヤーＢに対するヒントをチャネル２の映像とし、時分割多重により、モニタ４３’に表示する。プレイヤーＡは、チャネル１のタイミングでシャッタが開かれるメガネ５０Ａを用い、プレイヤーＢは、チャネル２のタイミングでシャッタが開かれるメガネ５０Ｂを用い、各々自分に対するヒントの映像を見るようになっている。
【００６４】
このような動作を可能にするため、この情報表示システムでは、情報処理部３０は、例えば図３６に示すように、カメラ３００からの映像を取得する映像取得部３０１と、カメラ３００からの映像から各コマの位置を検出する位置認識部３０２と、検出した各コマの位置からゲームの状態を判定する判定部３０３と、ゲームの状態に応じて各プレイヤーに対するヒント情報（サポート情報）を生成するサポート情報性西部３０５が設けられている。
【００６５】
ゲーム「リバーシ」の場合、カメラ３００からの映像は、例えば図３７に示すようになり、ゲームボード７０との位置関係を調整しておけば、ゲームボード上のコマの位置は、位置認識部３０２が、映像中の画素を所定領域毎に分割し、領域内の画素の色等から検出することができる。
【００６６】
状態判定部３０３によるゲームの状態の検出は、特に「リバーシ」であれば、周知のアルゴリズムが幾つも知られているので、それを用いることにより、容易に検出することができる。また、状態判定部３０３は、各プレイヤーに対するヒント情報を求め、各サポート情報生成部３０５に供給する。このヒント情報は、例えばコンピュータとの対戦が可能なゲームソフトウェア内においてコンピュータ側のプレイヤーの判断アルゴリズム（特に、「リバーシ」については、ゲームソフトウェアが多数市販されているので、公知の判断アルゴリズムである。）によって、例えば、次にコマを打つことによりゲームの状態が有利になるポイント［ゲームボード上７０の位置を示す情報］等として求めることができる。
【００６７】
各サポート情報３０５は、このようなヒント情報［ゲームボード上７０の位置を示す情報］に応じた映像を生成するための情報を生成し、各々対応する表示処理部４１１、４１２にカメラ３００からの映像と共に供給する。これに応じて、チャネル１（ＣＨ．１）側の表示処理部４１１は、例えば図３８に示すように、自分（プレイヤーＡ）が次にコマを打てるポイントと、当該ポイントにコマを打った場合にゲームの状態が有利になることを示す映像を生成し、カメラ３００からの映像に合成させる（図３９）。また、チャネル２（ＣＨ．２）側の表示処理部４１２は、例えば図４０に示すように、相手（プレイヤーＡ）が次にコマを打てるポイントと、当該ポイントにコマを打たれた場合にゲームの状態が不利になることを示す映像を生成し、カメラ３００からの映像に合成させる（図４１）。各チャネルの映像は、時分割多重化されてモニタ４３’には。例えば図４２に示すような画像が表示されるが、各プレイヤーは、各々メガネ５０Ａ、５０Ｂを用いて、自分宛のチャネルの映像のみを選択して視聴することができる。
【００６８】
このように、この応用例では、各プレイヤーに対するヒント情報を示す映像をモニタ４３’に時分割多重化して表示させることにより、複数のプレイヤーでモニタを共有することができ、各プレイヤーがメガネ５０を用いて自分に対するヒント情報の映像のみを視聴することができる。同様の応用は、例えばドラマ等の映像とゲーム等の映像、あるいはテレビの映像とメッセージ配信システムの映像、対戦ゲームにおける複数プレイヤー用の映像等の複数のコンテンツを多重化させて表示させる場合にも適用することができ、モニタスペースの節約等の効果を得ることができる。あるいは、教育分野における応用例として、理解力・レベルに応じた複数の出題・解説・解答の映像の多重化等にも適用することができる。
【実施例５】
【００６９】
（アプリケーション：ＡＲの例）
上述の各情報表示システムは、例えば図４３に示すように、実写映像に仮想物体の映像を合成するＡＲ技術における表示等にも用いることができる。なお、以下、上述の実施例４と同様に、上述の図２２に示す構成の情報表示システムを前提に説明するが、上述の他の構成の情報表示システムを用いてもよい。
【００７０】
（構成）
この情報表示システムでは、情報提供システム１０は、位置情報とカメラの向き・画角等の情報が供給されるとこれらに応じた位置情報に対応付けられた文字・画像等のタグ情報を提供する情報サービスを提供するようになっている。また、情報処理部３０は、この図４３に示すように、風景の撮像等に用いるカメラ３１０と、当該情報表示システムの位置を検出するＧＰＳ受信機３１１と、方位・傾きを検出する方位・傾きセンサ３１２と、ＧＰＳ受信機３１１と方位・傾きセンサ３１２の検出出力に応じて、当該情報処理システムの位置と向き（方位・傾き）を算出する位置・向き算出部３１３と、位置情報とカメラ３１０の向き・画角等の情報を情報提供システム１０に供給してタグ情報を取得するタグ情報取得部３４とを備えている。
【００７１】
この情報表示システムは、例えば図４４に示すように、携帯情報端末装置として構成されており、この情報処理端末装置の表示画面は、複数のチャネルの映像を時分割多重化して表示できるモニタ４３’となっている。この携帯情報端末装置の表示画面の反対側の面には、例えば図４５に示すように、カメラ３１０が取り付けられている。
【００７２】
この情報表示システム（携帯情報端末装置）は、例えば図４６に概要を示すように、街頭等の風景を撮像し、携帯情報端末装置（カメラ３１０）の位置及びカメラ３１０の向き・画角等の情報を情報提供システム１０に送信し、情報提供システム１０から得られたタグ情報に応じた映像を、例えば図４７に示すように、例えばカメラ３１０の位置から半径δ以内にあるか否かによってチャネル１とチャネル２に振り分け、これらのチャネルの映像を時分割多重化してモニタ４３’に表示するようになっている。
【００７３】
（動作詳細）
このような動作は、例えば図４８に示す処理によって実行される。
まず、カメラ３１０で撮像を行う際に、位置・向き算出部３１３は、ＧＰＳ受信機３１１の出力から当該情報表示システムの位置［図４７中のＰ０（ｘ０、ｙ０、ｚ０）］を検出し（Ｓ４１）、方位・傾きセンサ３１２の出力からカメラ３１０の向き（方位・傾き）を検出する（Ｓ４２）。また、カメラ３１０の画角は予め解っているため、タグ情報取得部３４は、当該情報表示システムの位置を示す情報とカメラ３１０の向きを示す情報を情報提供システム１０に送信し、タグ情報を取得する（Ｓ４３）。
【００７４】
情報提供システム１０から提供されるタグ情報は、当該タグ情報が対応付けられている位置を示す情報［図４７中のＰ１（ｘ１、ｙ１、ｚ１）〜Ｐ３（ｘ３、ｙ３、ｚ２）］と、文字・画像等の情報とを含んでいる。タグ情報取得部３４は、上述の当該情報表示システムの位置Ｐ０（ｘ０、ｙ０、ｚ０）と各タグ情報に対応付けられた位置情報Ｐ１（ｘ１、ｙ１、ｚ１）〜Ｐ３（ｘ３、ｙ３、ｚ２）を比較し、当該情報表示システムとの距離を求めて上述の距離δと比較する（Ｓ４４）。当該情報表示システムとの距離が上述のδより小さければ、タグ情報取得部３４は、当該タグ情報をチャネル１（ＣＨ．１）の情報生成部３１１に供給し（Ｓ４５）、距離が上述のδ以上であれば、タグ情報取得部３４は、当該タグ情報をチャネル２（ＣＨ．２）の情報生成部３１２に供給する（Ｓ４６）。このような動作（Ｓ４１〜Ｓ４７）を繰り返して、情報提供システム１０からのタグ情報を各チャネルに振り分ける。
【００７５】
カメラ３１０によって撮像される映像は、例えば図４９に示すようになる。各チャネルの情報生成部３１１、３１２は、この映像と、タグ情報取得部３４から供給されたタグ情報を、対応するチャネルの表示処理部４１１、４１２に供給する。これにより、チャネル１の表示処理部４１１は、タグ情報に応じて例えば図５０に示す画像を生成し、カメラ３１０の映像に合成して、例えば図５１に示すような映像を生成する。また、チャネル２の表示処理部４１２は、タグ情報に応じて例えば図５２に示す画像を生成し、カメラ３１０の映像に合成して、例えば図５３に示すような映像を生成する。なお、各タグ情報の位置情報から、カメラの画角内のどこに、タグ情報の文字・画像等に応じた表示を行うべきかは、計算によって求めることができるが、既存のＭＲないしＡＲ技術や「セカイカメラ」（商標、http://sekaicamera.com/）等で実現されている処理であり、周知の技術であるため、詳細な処理については省略する。このように生成された各チャネルの映像は、時分割多重化部４８によって多重化され、モニタ４３’には、例えば図５４に示すような映像が表示される。
【００７６】
このような映像を見るユーザは、上述の実施例１と同様に、メガネ５０の選択部５２を操作してチャネルを選択することにより、希望のチャネルの映像のみを視聴することができる。これにより、例えば情報表示装置との距離に応じて、距離δより近くの位置に対応付けられたタグ情報に応じた映像と、距離δより遠くの位置に対応付けられたタグ情報に応じた映像とを選択して視聴することができる。これにより、タグ情報が多すぎて、画面表示が煩雑になるような場合でも、距離に応じてタグ情報を各チャネルの映像に振り分け、各チャネルを選択的に視聴することができるため、視聴したい情報を容易に選択することができる。
【００７７】
（変形例）
以上の説明では、当該情報表示システム（携帯端末装置）とタグ情報に対応付けられた位置との距離がδより小さいか、それ以上かによって、タグ情報に応じた映像を２つのチャネルに振り分ける例について説明したが、モニタ４３’の表示能力（フレームレート）によっては、距離を複数の閾値と比較し、さらに多くのチャネルにタグ情報に応じた映像を振り分けることも可能である。この場合、さらに、距離が遠いタグ情報については、表示が煩雑になることも想定されるため、表示をボケ像として表示する等、破綻しない映像として表現すると視認性の向上に寄与することができる。
【００７８】
（総括）
以上、いくつかの実施例を用いて本発明を説明したが、本発明の技術的特徴は、
１．情報をクラスタ化（分類）し、
２．クラスタ化（分類）した情報に応じた映像を、複数のチャネルに振り分け、これらを多重化して表示し、
３．ユーザが視聴したいチャネルの映像を選択する
ことにより、
情報に応じた映像を表示するスクリーン・モニタ等の表示を多数のユーザで共有すると共に、個々のユーザがメガネによって視聴したいチャネルの映像を選択することにより、ユーザが視聴したい情報を選択することができる点にある。
この技術的思想の範囲内で、各実施形態及び変形例の組み合わせ、公知技術の付加、公知技術との置換等が可能であることは言うまでもない。
【００７９】
例えば、実施例１の時分割多重化と実施例２の偏光による多重化を組み合わせることにより、チャネル数を増加させることができる。あるいは、偏光で左右の眼の画像を分離して立体画像を表示する公知の立体画像表示装置と実施例１の時分割多重化あるいは実施例２における他の偏光フィルタ等を組み合わせ、左右の映像各々に複数のチャネルの映像を生成するようにすれば、立体画像表示において、クラスタ化され、チャネル毎に振り分けられた情報に応じて表示される映像のチャネルを選択することが可能になる。
【産業上の利用可能性】
【００８０】
複数チャネルに振り分けた情報に応じた各チャネルの映像を多重化して表示し、いずれかのチャネルの映像を選択して見ることにより、視聴する情報の選択を容易に行うことができる。
【符号の説明】
【００８１】
１…ネットワーク、１０…情報提供システム、２０…通信処理部、３０…情報処理部、３１…情報生成部、４０…表示部、４１…表示処理部、４２…制御部、４３，４３’…スクリーン、４４…プロジェクタ、４５…シャッタ、４６…タイミング制御部、４７…タイミング送信部、５０…メガネ、５１…タイミング受信部、５２…選択部、５３…シャッタ
【図１】
2011221151.tif 000003
【図２】
2011221151.tif 000004
【図３】
2011221151.tif 000005
【図４】
2011221151.tif 000006
【図５】
2011221151.tif 000007
【図６】
2011221151.tif 000008
【図７】
2011221151.tif 000009
【図８】
2011221151.tif 000010
【図９】
2011221151.tif 000011
【図１０】
2011221151.tif 000012
【図１１】
2011221151.tif 000013
【図１２】
2011221151.tif 000014
【図１３】
2011221151.tif 000015
【図１４】
2011221151.tif 000016
【図１５】
2011221151.tif 000017
【図１６】
2011221151.tif 000018
【図１７】
2011221151.tif 000019
【図１８】
2011221151.tif 000020
【図１９】
2011221151.tif 000021
【図２０】
2011221151.tif 000022
【図２１】
2011221151.tif 000023
【図２２】
2011221151.tif 000024
【図２３】
2011221151.tif 000025
【図２４】
2011221151.tif 000026
【図２５】
2011221151.tif 000027
【図２６】
2011221151.tif 000028
【図２７】
2011221151.tif 000029
【図２８】
2011221151.tif 000030
【図３０】
2011221151.tif 000031
【図３１】
2011221151.tif 000032
【図３２】
2011221151.tif 000033
【図３３】
2011221151.tif 000034
【図３４】
2011221151.tif 000035
【図３５】
2011221151.tif 000036
【図３６】
2011221151.tif 000037
【図３７】
2011221151.tif 000038
【図３８】
2011221151.tif 000039
【図３９】
2011221151.tif 000040
【図４０】
2011221151.tif 000041
【図４１】
2011221151.tif 000042
【図４２】
2011221151.tif 000043
【図４３】
2011221151.tif 000044
【図４４】
2011221151.tif 000045
【図４５】
2011221151.tif 000046
【図４６】
2011221151.tif 000047
【図４７】
2011221151.tif 000048
【図４８】
2011221151.tif 000049
【図５０】
2011221151.tif 000050
【図５２】
2011221151.tif 000051
【図２９】
2011221151.tif 000052
【図４９】
2011221151.tif 000053
【図５１】
2011221151.tif 000054
【図５３】
2011221151.tif 000055
【図５４】
2011221151.tif 000056